(57)【要約】【課題】従来のプリント配線基板のエッチング等のスプレー処理をする装置においては、プリント配線基板を搬送する手段を該プリント配線基板の表面に当接しないようにして、該プリント配線基板の表面が傷つくことを防止すること。【解決手段】プリント配線基板を水平に搬送する手段と、該プリント配線基板の上下面にスプレー処理する手段とを備えたプリント配線基板のスプレー処理装置であって、前記プリント配線基板を水平に搬送する手段が左右のロールからなるコンベアであり、該左右のロールを略Ｖ字状に形成した梯子状フレームの横木上に配設して傾斜させ、該左右のロールのそれぞれのロール軸に配設したロールギアを回転させて該左右のロールを回転させる構成にしたことにより、プリント配線基板を搬送する手段を該プリント配線基板の表面に当接しないようにして、該プリント配線基板の表面が傷つくことを防止することができる。【選択図】  図１
2004307895.tif 000002
【特許請求の範囲】
【請求項１】
プリント配線基板を水平に搬送する手段と、該プリント配線基板の上下面にスプレー処理する手段とを備えたプリント配線基板のスプレー処理装置であって、
前記プリント配線基板を水平に搬送する手段が左右のロールからなるコンベアであり、
該左右のロールを略Ｖ字状に形成した梯子状フレームの横木上に配設して傾斜させ、
該左右のロールのそれぞれのロール軸に配設したロールギアを回転させて該左右のロールを回転させる構成にしたこと
を特徴とするプリント配線基板のスプレー処理装置。
【請求項２】
前記左右のロールのそれぞれのロール軸に配設したロールギアには、
同一の駆動機の動力を分配すること
を特徴とする請求項１に記載のプリント配線基板のスプレー処理装置。
【請求項３】
左右のロールの開き角度が、
９０〜１７０°であること
を特徴とする請求項１または２に記載のプリント配線基板のスプレー処理装置。
【請求項４】
ロールギアに噛合する駆動ギアの回転方向は、
傾斜して配設された左右のロールを外側に引き上げる方向であること
を特徴とする請求項１乃至３のいずれかに記載のプリント配線基板のスプレー処理装置。
【請求項５】
複数の左右のロールをユニット化し、該ユニットを接続させる構成にしたこと
を特徴とする請求項１乃至４のいずれかに記載のプリント配線基板のスプレー処理装置。
【発明の詳細な説明】
【０００１】
【発明の属する技術分野】
本発明は、例えば、プリント配線基板のエッチング、塗装、絶縁剤塗布、感光剤塗布、現像、剥離、水洗等のスプレー処理をするスプレー処理装置に関するものである。
【０００２】
【従来の技術】
近年、装飾用品等の高付加価値化に伴い、金属板材等の表面の加工、例えば、鏡面、ヘアーライン、梨地またはスピン等の表面加工における高品質化が要求されており、金属板材等の表面に傷を付けない加工の技術が要求されている。
【０００３】
また、電子機器の小型化・高機能化に伴い、プリント配線基板の高密度化が進展し、その表面に形成される回路の幅が細くなることにより、該プリント配線基板のエッチング等のスプレー処理をする際に、該プリント配線基板の表面に傷を付けない加工の技術が重要視されている。
【０００４】
従来、プリント配線基板のエッチング等のスプレー処理をする装置としては、例えば、プリント配線板を水平搬送する水平搬送装置と、上部スプレーノズルと、下部スプレーノズルとを具備し、該上部スプレーノズルを該プリント配線板の搬送位置に対して近接配設すると共に、該下部スプレーノズルを該プリント配線板の搬送位置に対して離間配設したプリント配線板のエッチング装置がある（特許文献１参照）。
【０００５】
この特許文献１の公知技術においては、エッチング槽の内部に、プリント配線板を搬送する搬送装置として、搬送ロールと押さえロールとが配設されており、回転駆動装置により該搬送ロールを回転させ、プリント配線板を搬送するものであり、これら搬送ロールと押さえロールとは、該プリント配線板と平行に配設されている、所謂、フラットローラーコンベアーまたはホイルロールコンベアー等を使用して、該プリント配線板の表面を支持しながら搬送するものである。
【０００６】
【特許文献１】
特開平７−２３１１５５号公報（請求項１、図１）
【０００７】
【発明が解決しようとする課題】
しかしながら、前記特許文献１の公知技術においては、搬送ロールと押さえロールとが、プリント配線板の表面に当接するため、該プリント配線板の表面を傷つけることがあり、更に、エッチング液等をスプレーすることにより、搬送ロールと押さえロールとによるプリント配線板の搬送にストレスが生じて、該プリント配線板と搬送ロールまたは押さえロールとの間でスリップすることがあり、該スリップによって前記プリント配線板の表面を大きく傷つけることがあるという問題点を有する。
【０００８】
従って、従来のプリント配線基板のエッチング等のスプレー処理をする装置においては、プリント配線基板を搬送する手段を該プリント配線基板の表面に当接しないようにして、該プリント配線基板の表面が傷つくことを防止するということに解決しなければならない課題を有している。
【０００９】
【課題を解決するための手段】
上記した従来例の課題を解決する具体的手段として本発明に係る第１の発明として、プリント配線基板を水平に搬送する手段と、該プリント配線基板の上下面にスプレー処理する手段とを備えたプリント配線基板のスプレー処理装置であって、前記プリント配線基板を水平に搬送する手段が左右のロールからなるコンベアであり、該左右のロールを略Ｖ字状に形成した梯子状フレームの横木上に配設して傾斜させ、該左右のロールのそれぞれのロール軸に配設したロールギアを回転させて該左右のロールを回転させる構成にしたことを特徴とするプリント配線基板のスプレー処理装置を提供するものである。
【００１０】
この第１の発明において、前記左右のロールのそれぞれのロール軸に配設したロールギアには、同一の駆動機の動力を分配すること；左右のロールの開き角度が、９０〜１７０°であること；ロールギアに噛合する駆動ギアの回転方向は、傾斜して配設された左右のロールを外側に引き上げる方向であること；複数の左右のロールをユニット化し、該ユニットを接続させる構成にしたこと；を付加的な要件として含むものである。
【００１１】
本発明に係るプリント配線基板のスプレー処理装置は、プリント配線基板を水平に搬送する手段が左右のロールからなるコンベアであり、該左右のロールを略Ｖ字状に形成した梯子状フレームの横木上に配設して傾斜させ、該左右のロールのそれぞれのロール軸に配設したロールギアを回転させて該左右のロールを回転させることにより、前記プリント配線基板を搬送する手段が、該プリント配線基板の表面に当接しないため、該プリント配線基板の表面を傷つけることがないのである。
【００１２】
【発明の実施の形態】
次に、本発明を具体的な実施の形態に基づいて詳しく説明する。
本発明の実施の形態に係るプリント配線基板のスプレー処理装置を略示的に示した斜視図を図１に示し、該スプレー処理装置の平面図を図２に示し、図２のＡ−Ａ線に沿う断面図を図３に示し、拡大した側面図を図４に示す。
【００１３】
プリント配線基板１のスプレー処理装置２には、該プリント配線基板１を水平に搬送する手段３と、該プリント配線基板１の上面にスプレー処理する手段４ａ及び下面にスプレー処理する手段４ｂとが配設されている。
【００１４】
プリント配線基板１の上下面にスプレー処理する手段４ａ、４ｂは、該プリント配線基板１の上下面に配設されたスプレー管４に配設されたスプレーノズル等からなるものである。
【００１５】
このスプレー処理としては、例えば、プリント配線基板１のエッチング、塗装、絶縁剤塗布、感光剤塗布、現像、剥離、水洗等のスプレー処理をするものである。
【００１６】
プリント配線基板１を水平に搬送する手段３は、左右のロール５ａ、５ｂからなるコンベアによって構成されている。該左右のロール５ａ、５ｂは、円筒形状を呈しており、その長さ方向の中心軸６ａ、６ｂに沿ってそれぞれロール軸７ａ、７ｂが挿着されている。
【００１７】
左右のロール５ａ、５ｂのそれぞれのロール軸７ａ、７ｂの一端部には、ロールギア８ａ、８ｂが配設されており、他端部は、ロール軸受け９ａ、９ｂに形成された凹部１０ａ、１０ｂに回動自在な状態で載せられている。
【００１８】
ロール軸受け９ａ、９ｂは、梯子状フレーム１１の横木１１ａに形成された凹部１２ａ、１２ｂに配設されており、該梯子状フレーム１１の横木１１ａが略Ｖ字状に形成されているため、左右のロール５ａ、５ｂは、前記ロール軸受け９ａ、９ｂを介して前記梯子状フレーム１１の横木１１ａ上に所定の角度に傾斜した状態で配設されており、これにより、前記左右のロール５ａ、５ｂの開き角度θを９０〜１７０°にしている。
【００１９】
このように、梯子状フレーム１１の横木１１ａに配設されたロール軸受け９ａ、９ｂによって左右のロール５ａ、５ｂのロール軸７ａ、７ｂを支持しているため、該左右のロール５ａ、５ｂが安定した状態で支持されるのである。
【００２０】
左右のロール５ａ、５ｂを梯子状フレーム１１の横木１１ａ上に配設して略Ｖ字状にし、該横木１１ａと横木１１ａとの間に下面のスプレー処理する手段４ｂを配設させているため、スプレーが全てプリント配線基板１の加工面に直接当たるようになって、効率良くスプレー処理できるようになり、該左右のロール５ａ、５ｂの開き角度θを大きくすることにより、該プリント配線基板１に当たるスプレー圧の変化を少なくできる。
【００２１】
また、元駆動ギア１３には、図示していない駆動機からの動力が伝えられており、該駆動機を動作させることによって、該元駆動ギア１３を回転させることができる。
【００２２】
該元駆動ギア１３の回転動力は、分配駆動軸１４を介して左右の分配駆動ギア１５ａ、１５ｂに伝えられる。該左右の分配駆動ギア１５ａ、１５ｂには、それぞれ左右の駆動ギア１６ａ、１６ｂが噛合されているため、該左右の分配駆動ギア１５ａ、１５ｂが回転することにより、該左右の駆動ギア１６ａ、１６ｂも回転することになる。
【００２３】
更に、左右の駆動ギア１６ａ、１６ｂには、ロールギア８ａ、８ｂが噛合されているため、該ロールギア８ａ、８ｂが回転し、ロール軸７ａ、７ｂを介して左右のロール５ａ、５ｂが回転するようになる。つまり、同一の駆動機の動力を分配させて、左右のロール５ａ、５ｂを回転させることができるので、制御回路を低減させることができると共に、該左右のロール５ａ、５ｂの回転差をなくして搬送ズレ障害の発生を低減できるため、プリント配線基板１を水平に搬送することができるのである。
【００２４】
このように、左右のロール５ａ、５ｂを略Ｖ字状に形成した梯子状フレーム１１の横木１１ａ上に配設して傾斜させた状態で、ロールギア８ａ、８ｂを回転させて該左右のロール５ａ、５ｂを回転させることにより、プリント配線基板１を搬送する手段３を該プリント配線基板１の表面に当接しないようにできるので、前記左右のロール５ａ、５ｂによって該プリント配線基板１の表面を傷つけることを防止することができるのである。
【００２５】
また、１つの駆動機によって元駆動ギア１３を回転させ、該元駆動ギア１３の回転によって最終的にロールギア８ａ、８ｂを回転させる構成としているため、左右のロール５ａ、５ｂの回転が同期して、該左右のロール５ａ、５ｂの回転がずれることを防止することができる。
【００２６】
更に、左右の駆動ギア１６ａ、１６ｂを、それぞれ矢印ａ１、ａ２の方向に回転させる、即ち、傾斜して配設された左右のロール５ａ、５ｂを矢印ａ３、ａ４のように外側に引き上げる方向に回転させることにより、該左右のロール５ａ、５ｂとロール軸受け９ａ、９ｂとの間に生じるスラスト荷重を軽減させることができ、軸受けの摩擦を減少できるので、搬送エネルギーを削減し、軸受けの寿命を延ばすことができる。
【００２７】
また、複数の左右のロール５ａ、５ｂをユニット１７化し、該ユニット１７の駆動ギア軸１８ａ、１８ｂを接続カップリング１９を介して接続させても良い。このように、接続カップリング１９を介して各ユニット１７を接続させる構成にすることにより、スプレー処理装置２への組み付け・取り出しが容易にできると共に、交換修理が装置外で容易にできるため、保守作業の時間を短縮できるようになる。
【００２８】
【発明の効果】
以上説明したように、本発明に係るプリント配線基板のスプレー処理装置は、プリント配線基板を水平に搬送する手段と、該プリント配線基板の上下面にスプレー処理する手段とを備えたプリント配線基板のスプレー処理装置であって、前記プリント配線基板を水平に搬送する手段が左右のロールからなるコンベアであり、該左右のロールを略Ｖ字状に形成した梯子状フレームの横木上に配設して傾斜させ、該左右のロールのそれぞれのロール軸に配設したロールギアを回転させて該左右のロールを回転させる構成にしたことにより、プリント配線基板を搬送する手段を該プリント配線基板の表面に当接しないようにして、該プリント配線基板の表面が傷つくことを防止することができるという優れた効果を奏する。
【図面の簡単な説明】
【図１】本発明の実施の形態に係るプリント配線基板のスプレー処理装置を略示的に示した斜視図である。
【図２】同スプレー処理装置を略示的に示した平面図である。
【図３】図２のＡ−Ａ線に沿う拡大して略示的に示した断面図である。
【図４】同スプレー処理装置を略示的に示した側面図である。
【符号の説明】
１  プリント配線基板
２  スプレー処理装置
３  プリント配線基板を水平に搬送する手段
４  スプレー管
４ａ、４ｂ  上下面にスプレー処理する手段
５ａ、５ｂ  左右のロール
６ａ、６ｂ  中心軸
７ａ、７ｂ  ロール軸
８ａ、８ｂ  ロールギア
９ａ、９ｂ  ロール軸受け
１０ａ、１０ｂ、１２ａ、１２ｂ  凹部
１１  梯子状フレーム
１１ａ  横木
１３  元駆動ギア
１４  分配駆動軸
１５ａ、１５ｂ  左右の分配駆動
１６ａ、１６ｂ  左右の駆動ギア
１７  ユニット
１８ａ、１８ｂ  駆動ギア軸
１９  接続カップリング
【図１】
2004307895.tif 000003
【図２】
2004307895.tif 000004
【図３】
2004307895.tif 000005
【図４】
2004307895.tif 000006